(57)【要約】【課題】樹脂芯材の表面にクロス等の装飾シートを圧着する圧着方法であって、製品の意匠面に木目込みラインを設定した製品形態において装飾シートを円滑に木目込み処理でき、圧着金型での量産を可能とする。【解決手段】圧着金型４０は、樹脂芯材２０をセットする圧着上型５０と、装飾シート３０をセットする圧着下型６０とから構成され、圧着下型６０は、製品表面に該当する中子６１と、圧着処理よりも先行して木目込み処理を行なうための木目込みバー７０とを備え、木目込み溝２１内に装飾シート３０を木目込みバー７０により先行して木目込み処理し、その後、装飾シート３０の圧着加工を中子６１の上下駆動により行なう。【選択図】図５
2006231534.tif 000002
【特許請求の範囲】
【請求項１】
樹脂芯材（２０）の表面に設定された木目込み溝（２１）内に装飾シート（３０）を追従させるように窪ませて装飾シート（３０）を圧着する装飾シート（３０）の圧着方法において、
一方側の金型（６０）に設けられている木目込みバー（７０）の両端に設定されたセットピン（７１）により、装飾シート（３０）を木目込みバー（７０）に馴染ませながら一方側の金型（６０）上にセットした後、樹脂芯材（２０）の木目込み溝（２１）内に木目込みバー（７０）を先行圧入させることにより、装飾シート（３０）の木目込み処理を行ない、その後、一方側の金型（６０）の中子（６１）を他方側の金型（５０）の型面に突き当てて、樹脂芯材（２０）の圧着面に装飾シート（３０）を圧着一体化する圧着処理を行なうことを特徴とする装飾シートの圧着方法。
【請求項２】
前記木目込みバー（７０）による木目込み処理後、一方側の金型（６０）の中子（６１）を上下に複数回ポンピングさせることで充分な圧着力を確保するようにしたことを特徴とする請求項１に記載の装飾シートの圧着方法。
【請求項３】
前記一方側の金型（６０）は、複数の木目込みバー（７０）により複数の中子（６１Ａ〜６１Ｆ）に分割する分割金型構造を採用するとともに、木目込み処理と圧着処理を交互に連続して行ない、装飾シート（３０）を樹脂芯材（２０）の圧着面に一体化するようにしたことを特徴とする請求項１に記載の装飾シートの圧着方法。
【発明の詳細な説明】
【技術分野】
【０００１】
この発明は、樹脂芯材の表面に装飾シートを木目込み圧着する装飾シートの圧着方法に係り、特に、圧着面に設定された木目込み溝内への装飾シートの木目込み処理を体裁良く行なうようにした装飾シートの圧着方法に関する。
【背景技術】
【０００２】
通常、図１３に示すように、車両の側壁パネルの室内面に装着される内装部品としてのドアトリム１は、合成樹脂の射出成形体、あるいはモールドプレス成形体からなる樹脂芯材２の表面に装飾シート３を圧着一体化して構成されており、装飾シート３の周縁端末３ａを体裁良く処理するために、樹脂芯材２には木目込み溝２ａが凹設されており、この木目込み溝２ａ内に装飾シート３の周縁端末３ａが圧入処理されている。例えば、図１４に示す圧着金型４を使用して、樹脂芯材２の表面所定部分に装飾シート３を圧着一体化する場合について説明する。ここで、圧着金型４は、圧着上型５と圧着下型６とから構成され、圧着上型５に樹脂芯材２が仮止めセットされるとともに、圧着下型６にクロス等の装飾シート３がセットされている。そして、圧着上下型５，６を型締めして、樹脂芯材２の表面所定箇所に装飾シート３を圧着した後、圧着下型６の外周に設けられている木目込みバー７を上昇させて装飾シート３の周縁端末３ａを木目込み溝２ａ内に圧入処理しているのが実情である。尚、装飾シート３の上面には予め粘着剤や接着剤がコーティングされている。この装飾シート３の圧入方法の従来例としては、特許文献１に示されている。
【０００３】
【特許文献１】実開平５−１６２７９号公報
【発明の開示】
【発明が解決しようとする課題】
【０００４】
このように、従来の装飾シート３の圧着方法においては、圧着先行が基本であり、装飾シート３を樹脂芯材２の表面に圧着一体化した後、周縁部の木目込み処理を行なうため、装飾シート３の周縁端末３ａを木目込み処理する構造のもの以外、例えば、意匠面に木目込み構造を採用した場合には、従来工法では対応できず、手作業で対応するしかなく、面倒な作業を強いられるという問題点があった。
【０００５】
この発明は、このような事情に鑑みてなされたもので、樹脂芯材の表面にクロス等の装飾シートを圧着する際、意匠面に木目込み構造を採用しても、圧着金型を使用しての量産が可能であり、しかも、体裁良く仕上げることができる装飾シートの圧着方法を提供することを目的としている。
【課題を解決するための手段】
【０００６】
上記課題を解決するために、本発明は、樹脂芯材の表面に設定された木目込み溝内に装飾シートを追従させるように窪ませて装飾シートを圧着する装飾シートの圧着方法において、一方側の金型に設けられている木目込みバーの両端に設定されたセットピンにより、装飾シートを木目込みバーに馴染ませながら一方側の金型上にセットした後、樹脂芯材の木目込み溝内に木目込みバーを先行圧入させることにより、装飾シートの木目込み処理を行ない、その後、一方側の金型の中子を他方側の金型の型面に突き当てて、樹脂芯材の圧着面に装飾シートを圧着一体化する圧着処理を行なうことを特徴とする。
【０００７】
ここで、樹脂芯材としては、ポリエチレン系樹脂、ポリプロピレン系樹脂、アクリロニトリル／ブタジエン／スチレン（ＡＢＳ）樹脂等、汎用の合成樹脂を所要形状に射出成形、あるいはモールドプレス成形することで、得られる合成樹脂成形品を使用するとともに、装飾シートは、ジャージ、ベルベット、モケット等のクロスやサーモプラスチックオレフィン（以下ＴＰＯという）、サーモプラスチックウレタン（以下ＴＰＵという）等の合成樹脂シート、あるいはクロスや合成樹脂シートの裏面にクッション層を裏打ちした積層シート材料を使用することができる。
【０００８】
更に、本発明方法に使用する圧着金型としては、圧着上下型が代表的であるが、これに限定されない。例えば、圧着上下型を使用した場合、樹脂芯材をその圧着面を下側に向けてセットする圧着上型と、装飾シートの圧着面を上側に向けてセットする圧着下型とから構成され、樹脂芯材に形成された木目込み溝に対応するように圧着下型には木目込みバーの先端が圧着下型の型面より上方に突出する状態で配設されている。
【０００９】
従って、本発明方法によれば、樹脂芯材の木目込み溝内に装飾シートを追従させるために、木目込みバー両端にセットピンが設定され、このセットピンにより、装飾シートを引っ張り、木目込みバーに装飾シートを馴染ませることができるとともに、圧着前に木目込み処理を先行して行なうため、木目込み処理をスムーズに行なうことができ、装飾シートの展開を和らげることができる。
【００１０】
次いで、本発明の好ましい実施の形態においては、前記木目込みバーによる木目込み処理後、一方側の金型の中子を上下に複数回ポンピングさせることで充分な圧着力を確保するようにしたことを特徴とする。そして、この実施の形態によれば、先行して木目込み処理を施した後、一方側の金型の中子を他方側の金型に対してポンピング処理することで、装飾シートの樹脂芯材の表面に対する圧着力を充分確保することができる。
【００１１】
次いで、本発明の更に好ましい実施の形態においては、前記一方側の金型は、複数の木目込みバーにより複数の中子に分割する分割金型構造を採用するとともに、木目込み処理と圧着処理を交互に連続して行ない、装飾シートを樹脂芯材の圧着面に一体化するようにしたことを特徴とする。そして、この実施の形態によれば、樹脂芯材の木目込み溝内への装飾シートの木目込み処理と樹脂芯材の圧着面に装飾シートを圧着加工する圧着処理とについて、木目込み溝内に装飾シートを木目込む木目込み処理を施した後、その外方において圧着加工処理を交互に行なうことで、意匠面に木目込み構造を採用した製品においても、確実な木目込み処理を行なうことができる。
【発明の効果】
【００１２】
以上説明した通り、本発明に係る装飾シートの圧着方法によれば、木目込みバー両端にセットピンを設定し、木目込み処理を圧着加工よりも先行して、スムーズに行なうとともに装飾シートの展開を和らげることができるため、製品意匠面に木目込み構造を採用した製品形態においても、圧着金型を使用して、体裁良く量産することができるという効果を有する。
【００１３】
更に、圧着金型のポンピング動作を行なうか、あるいは分割中子を使用し、木目込み処理と圧着処理とを連続して交互に行なえば、体裁が良く、確実な木目込み圧着加工を行なうことができるという効果を有する。
【発明を実施するための最良の形態】
【００１４】
以下、本発明に係る装飾シートの圧着方法の好適な実施例について、自動車用ドアトリムに装着する中接部材を例示して添付図面を参照しながら詳細に説明する。
【実施例１】
【００１５】
図１乃至図７は本発明の第１実施例を示すもので、自動車用ドアトリムに装着される中接部材を作製する際の装飾シートの圧着方法に適用した実施例である。図１，図２はドアトリムに装着する中接部材の構成を示す正面図並びに断面図、図３は同中接部材における樹脂芯材と装飾シートの圧着加工に使用する圧着金型の構成を示す全体図、図４は同圧着金型における圧着下型の平面図、図５乃至図７は同中接部材における装飾シートの圧着方法の各工程を示す説明図である。
【００１６】
図１，図２において、中接部材１０は、合成樹脂の射出成形体、あるいはモールドプレス成形体からなる樹脂芯材２０の表面にクロスからなる装飾シート３０が圧着一体化されている。更に詳しくは、上記樹脂芯材２０は、本実施例では、ポリプロピレン樹脂にタルクを適量混合した素材をモールドプレス成形により成形しているが、素材としては、ポリエチレン樹脂、ポリアセタール樹脂、アクリロニトリル／ブタジエン／スチレン（ＡＢＳ）樹脂等、汎用の熱可塑性樹脂材料を使用することができ、モールドプレス成形体の他に射出成形工法により、樹脂芯材２０を成形することもできる。
【００１７】
また、装飾シート３０としては、ジャージ、ベルベット、モケット等のクロスを使用しているが、ＴＰＯ、ＴＰＵ等の熱可塑性樹脂シート、あるいはクロスや熱可塑性樹脂シートの裏面にポリプロピレンフォーム、ポリエチレンフォーム、ポリウレタンフォーム等のクッション層を裏打ちしたソフト感に優れた装飾シート３０を使用することもできる。
【００１８】
そして、特に、この中接部材１０においては、図１の正面図で分かるように、製品面（意匠面）にそれぞれ平行となる複数の木目込みライン１１が設定されている。この木目込みライン１１については、樹脂芯材２０に木目込み溝２１が凹設されており、この木目込み溝２１の内面に沿って装飾シート３０の圧入部３１が追従するように木目込み処理されることにより、外観上は立体感のある木目込みライン１１として形成されている。
【００１９】
ところで、本発明方法は、このように意匠面に木目込みライン１１を設定した製品においても、木目込み処理を体裁良く、かつ量産できるようにしたことが特徴である。そのために、この第１実施例においては、図３，図４に示す圧着金型４０を使用して量産を図っている。図３に示すように、圧着金型４０は、圧着上型５０と圧着下型６０とから大略構成されている。圧着上型５０は、樹脂芯材２０を保持する図示しないサポートピンや吸盤等の保持手段が設けられている。一方、圧着下型６０は、中子６１がシリンダ６２により上下動可能に支持されているとともに、中子６１内には、樹脂芯材２０の木目込み溝２１に対応するパターンに沿って複数の木目込みバー７０が収容されており、この木目込みバー７０の両端側には、セットピン７１が立設されている（図４参照）。
【００２０】
次に、上述した圧着金型４０を使用して、樹脂芯材２０の表面に装飾シート３０を圧着加工する加工方法について説明する。まず、図５に示すように、圧着上型５０に樹脂芯材２０をセットするとともに、圧着下型６０に装飾シート３０をセットする。尚、装飾シート３０の上面（樹脂芯材２０対向面）には、粘着剤、あるいは接着剤が前もってコーティング処理されている。そして、木目込み処理を圧着加工前に先行して行なうために、木目込みバー７０の先端７０ａは、中子６１の上端面よりも上方に位置しており、装飾シート３０を圧着下型６０にセットすれば、木目込み処理される圧入部３１が木目込みバー７０により上方に持ち上げられた状態で装飾シート３０がセットされる。そして、圧着上型５０は、昇降シリンダ５１の駆動により下降して、図６に示すように、圧着上型５０にセットされている樹脂芯材２０の木目込み溝２１内に装飾シート３０の圧入部３１が木目込みバー７０の先端７０ａにより木目込み処理される。
【００２１】
その後、図７に示すように、圧着下型６０において、シリンダ６２が伸長して、中子６１が上方に持ち上げられ、かつ圧着上型５０についても上昇する。この時、中子６１の上端面が木目込みバー７０の先端７０ａより上方に位置することで、中子６１の圧着面が圧着上型５０の型面に押し付けられて樹脂芯材２０の圧着面に装飾シート３０が強固な圧着力で圧着一体化される。
【００２２】
このように、第１実施例における装飾シート３０の圧着方法においては、樹脂芯材２０の木目込み溝２１内にまず木目込みバー７０の先端７０ａにより装飾シート３０を木目込み処理した後、圧着上下型５０，６０の型締めにより、すなわち、中子６１の上昇により、圧着処理を行なうというものであり、意匠面に木目込みライン１１を造形した製品においても、体裁良く、かつ圧着金型４０を使用して量産することができる。また、装飾シート３０の圧着力を高めるために、中子６１を複数回上下動作させる、いわゆるポンピング処理を繰り返し行なうようにして、装飾シート３０の接合強度を強化するようにしても良い。
【実施例２】
【００２３】
図８乃至図１２は本発明の第２実施例を示しており、図８，図９は圧着金型の構成を示す断面図並びに平面図、図１０乃至図１２は同圧着金型を使用した装飾シートの圧着方法を示す説明図である。第２実施例においても、適用する製品形態は、中接部材１０であり、図示は省略するが、樹脂芯材２０の表面に装飾シート３０が圧着一体化され、かつ製品の意匠面に複数の木目込みライン１１が設定され、体裁の良い木目込み処理が行なわれている。この第２実施例に使用する圧着金型４０Ａの構成について、図８，図９を基に説明する。圧着金型４０Ａは、圧着上型５０については、第１実施例と同一構成であるが、圧着下型６０については、中子６１はこの第２実施例では５本の木目込みバー７０Ａ〜７０Ｅにより分割中子６１Ａ〜６１Ｆの６ブロックに区画されている。そして、５本の木目込みバー７０Ａ〜７０Ｅについては、シリンダ７２Ａ〜７２Ｅが対応して設けられており、同様に、分割中子６１Ａ〜６１Ｆについても、専用のシリンダ７３Ａ〜７３Ｆが設けられている。
【００２４】
図１０乃至図１２に基づいて、この圧着金型４０Ａを使用して樹脂芯材２０の表面に装飾シート３０を圧着一体化する工程について説明する。この第２実施例では、圧着上型５０に樹脂芯材２０をセットするとともに、圧着下型６０に装飾シート３０をセットした後、図１０に示すように、まず、中央の木目込みバー７０Ｃが対応するシリンダ７２Ｃの伸長動作により、この部分が先行して木目込み処理される。
【００２５】
次いで、図１１に示すように、中央の木目込みバー７０Ｃの左右両側の分割中子６１Ｃ，６１Ｄが対応するシリンダ７３Ｃ，７３Ｄの伸長動作により上昇して、木目込み処理された両側の面について、分割中子６１Ｃ，６１Ｄによる圧着処理が施され、樹脂芯材２０の圧着面に装飾シート３０が圧着加工される。
【００２６】
その後、分割中子６１Ｃ，６１Ｄと隣接する木目込みバー７０Ｂ，７０Ｄがシリンダ７２Ｂ，７２Ｄの駆動により上昇し、木目込み処理を行なった後、分割中子６１Ｂ，６１Ｅがシリンダ７３Ｂ，７３Ｅの駆動により上昇して、圧着処理を施し、その後、隣接する最も外側に位置する木目込みバー７０Ａ，７０Ｅがシリンダ７２Ａ，７２Ｅの駆動により上昇して、最終的な木目込み処理が行なわれる。そして、最も外側の分割中子６１Ａ，６１Ｆがシリンダ７３Ａ，７３Ｆの駆動により、図１２中矢印で示すように上昇することで最後の圧着処理が行なわれる。
【００２７】
このように、第２実施例によれば、中央の木目込みバー７０Ｃを先行して木目込み処理した後、隣接する部位の圧着処理を分割中子６１Ｃ，６１Ｄで行ない、木目込み処理と圧着処理を中央から外側に向けて交互に連続的に処理することが特徴であり、一括して木目込み処理を行なった際、装飾シート３０に加わるテンションが非常に大きく、木目込み処理が実現できないことを考えれば、このような加工方法を採用すれば、装飾シート３０に加わる過度のテンションがなく、樹脂芯材２０の面形状に忠実に装飾シート３０を沿わせるができ、意匠面に木目込み構造を採用しても、体裁の良い圧着加工が可能となる。
【産業上の利用可能性】
【００２８】
実施例１、実施例２はドアトリムの中接部分に装着される中接部材１０に本発明に係る装飾シートの圧着方法を適用したが、芯材表面に装飾シートが圧着され、意匠面に木目込み構造が採用された形態のもの全般に応用することができる。更に、分割中子６１Ａ〜６１Ｆを採用する実施例２においては、中央から外方に向けて時間差を設けて木目込み処理と圧着処理とを交互に行なう圧着加工方法を採用したが、一方端から他方端に向けて順次木目込み処理と圧着処理を交互に行なうようにしても良い。
【図面の簡単な説明】
【００２９】
【図１】本発明に係る装飾シートの圧着方法を使用して製作したドアトリム用中接部材を示す正面図である。
【図２】図１に示す中接部材の構成を示す断面図である。
【図３】本発明方法に使用する圧着金型の第１実施例を示す全体図である。
【図４】図３に示す圧着金型における圧着下型の平面図である。
【図５】図３に示す圧着金型を使用した装飾シートの圧着方法における樹脂芯材と装飾シートのセット工程を示す説明図である。
【図６】図３に示す圧着金型を使用した装飾シートの圧着方法における先行木目込み工程を示す説明図である。
【図７】図３に示す圧着金型を使用した装飾シートの圧着方法における圧着加工工程を示す説明図である。
【図８】本発明に係る装飾シートの圧着方法に使用する圧着金型の第２実施例を示す全体図である。
【図９】図８に示す圧着金型における圧着下型の平面図である。
【図１０】図８に示す圧着金型を使用した装飾シートの圧着方法における樹脂芯材と装飾シートのセット工程を示す説明図である。
【図１１】図８に示す圧着金型を使用した装飾シートの圧着方法における圧着加工工程を示す説明図である。
【図１２】図８に示す圧着金型を使用した装飾シートの圧着方法における最外部の木目込み処理工程を示す説明図である。
【図１３】従来のドアトリムの構成を示す断面図である。
【図１４】従来の装飾シートの圧着方法の概要を示す説明図である。
【符号の説明】
【００３０】
１０  中接部材
１１  木目込みライン
２０  樹脂芯材
２１  木目込み溝
３０  装飾シート
３１  圧入部
４０  圧着金型
５０  圧着上型
５１  昇降シリンダ
６０  圧着下型
６１，６１Ａ〜６１Ｆ  中子
６２  駆動シリンダ
７０，７０Ａ〜７０Ｅ  木目込みバー
７１  セットピン
７２Ａ〜７２Ｅ  駆動シリンダ
７３Ａ〜７３Ｆ  駆動シリンダ
【図１】
2006231534.tif 000003
【図２】
2006231534.tif 000004
【図３】
2006231534.tif 000005
【図４】
2006231534.tif 000006
【図５】
2006231534.tif 000007
【図６】
2006231534.tif 000008
【図７】
2006231534.tif 000009
【図８】
2006231534.tif 000010
【図９】
2006231534.tif 000011
【図１０】
2006231534.tif 000012
【図１１】
2006231534.tif 000013
【図１２】
2006231534.tif 000014
【図１３】
2006231534.tif 000015
【図１４】
2006231534.tif 000016